(57)【要約】【課題】基板の移動を規制しつつ、基板の短手方向の長さを短くして小型化を実現する。【解決手段】この点灯装置３は、照明器具に設置されているものであり、長方形状に形成されている基板４と、長方形状に形成され基板４を収納する本体部５ａ及び蓋部５ｂと、基板４と本体部５ａ及び蓋部５ｂとを電気的に絶縁する絶縁板６とを備えている。  本体部５ａは、底部５０の一端部５０ａにおいて、短手方向の中央から縁側に向かって略垂直に切り起こして一対の支持部５３，５３を備えている。各支持部５３は、底部５０から突設されている基部５３ａと、基部５３ａから延設され、基板４の長手方向の縁部４ａを基板４の厚み方向で挟持する一対の挟持部５３ｂ，５３ｃを備えている。【選択図】図１
2006179307.tif 000002
【特許請求の範囲】
【請求項１】
長方形状に形成され、照明負荷に電力を供給する回路の構成部品が実装されるとともに長手方向の一端側に複数の端子孔が短手方向に並んで実装される基板と、
長方形状に形成され前記基板の厚み方向において前記基板に対向する底部、前記底部の短手方向の両縁側から前記基板の短手方向の両縁側に沿って延設される一対の側部、及び前記底部及び前記側部とともに前記構成部品を覆う蓋部を設けるハウジングと、
前記基板の長手方向の縁部に当接し、前記基板の長手方向及び厚み方向の移動を規制する規制手段と
を備えることを特徴とする点灯装置。
【請求項２】
前記規制手段が、
前記底部に突設される基部と、
前記基部から延設され、前記基板の長手方向の縁部を前記基板の厚み方向で挟持する一対の挟持部と
を備えることを特徴とする請求項１記載の点灯装置。
【請求項３】
前記基板の厚み方向において、前記基板と前記底部との間に、前記基板に当接する突起部を設ける支持板を備えることを特徴とする請求項１又は２記載の点灯装置。
【請求項４】
請求項１〜３のいずれか記載の点灯装置と、
前記点灯装置により点灯制御される照明負荷と、
前記点灯装置及び前記照明負荷を設置する器具本体と
を備えることを特徴とする照明器具。
【請求項５】
前記照明負荷が、管径１６ｍｍ以下に形成される蛍光灯であることを特徴とする請求項４記載の照明器具。
【発明の詳細な説明】
【技術分野】
【０００１】
本発明は、点灯装置及びこれを含む照明器具に関するものである。
【背景技術】
【０００２】
この種の点灯装置（放電灯点灯装置）は、例えば商用電源の交流電力を直流電力に変換する電源回路、電源回路の出力を高周波電力に変換するインバータ回路等の回路を備え、上記高周波電力を照明負荷に供給するものである。
【０００３】
従来、上記点灯装置として、例えば長方形状に形成され、上記回路の構成部品が実装されている基板（プリント基板等）を、ハウジング（ケース）に収納したものが提案されている。上記点灯装置は、ハウジング内において基板の移動（ずれ、がたつき等を含む）を規制するために、基板を固定している。
【０００４】
特許文献１には、図９に示すように、長方形状に形成され、ハウジングの本体部８１における両側部（脚片）８２，８２の各内側面に突設され、基板８０の下方向への移動を規制する支持部８３と上方向への移動を規制する保持部８４との間に基板８０が挟持されることで、基板８０の厚み方向への移動を規制する点灯装置８が開示されている。また、特許文献１の点灯装置８は、両側部８２，８２に突設された規制部８５により、基板８０の長手方向への移動を規制している。上記基板８０は、長手方向の一端側（図９の左側）に、複数の端子孔８６ａ・・・を短手方向に一列に並んで配列している端子台８６，８６，８６が実装されている。これにより、基板８０に実装される構成部品（図示せず）の有効実装面積の最大化を行い、小型化を実現することができる。
【０００５】
また、近年、照明負荷として、管径の細い蛍光灯が、開発され商品化されている。上記のような蛍光灯は、高効率でありながら照明器具の薄型化を可能にするものである。点灯装置が上記蛍光灯を２つ制御する場合、２つの蛍光灯を直列に接続すれば、出力端子は６端子でよい。しかし、この場合、対地電圧は、少なくともランプ電圧の２倍の３３４Ｖ（図４の「Ｔ５ＨＥ２８Ｗ」参照）になり、対地電圧の高い側の蛍光灯からの漏れ電流が大きくなる。これにより、対地電圧の高い側の蛍光灯と、対地電圧の低い側の蛍光灯とでは、ランプ電流が異なり、輝度差が発生するという問題があった。特に、ランプ電流が小さい高輝度特性の蛍光灯の場合に、特に顕著に表れる。上記問題を解決するために、管径の細い蛍光灯のような高ランプ電圧、小ランプ電流の高輝度蛍光灯を２つ制御する場合、対地電圧をより低く抑えるために蛍光灯を並列接続させることが望ましい。この場合、出力端子は７端子となる。
【特許文献１】特開２００２−１７５７１８号公報（第４，５頁及び第１０図）
【発明の開示】
【発明が解決しようとする課題】
【０００６】
しかしながら、上記特許文献１の点灯装置８は、以下のような問題があった。基板８０において端子台８６の配列方向に保持部８４が位置しているので、基板８０は、保持部８４のための場所を端子台８６の両端に設けなければならなかった。このため、基板８０の短手方向の長さが長くなってしまうという問題があった。
【０００７】
本発明は上記の点に鑑みて為されたものであり、その目的とするところは、基板の移動を規制しつつ、基板の短手方向の長さを短くして小型化を実現することができる点灯装置及びこれを含む照明器具を提供することにある。
【課題を解決するための手段】
【０００８】
請求項１に記載の発明は、長方形状に形成され、照明負荷に電力を供給する回路の構成部品が実装されるとともに長手方向の一端側に複数の端子孔が短手方向に並んで実装される基板と、長方形状に形成され前記基板の厚み方向において前記基板に対向する底部、前記底部の短手方向の両縁側から前記基板の短手方向の両縁側に沿って延設される一対の側部、及び前記底部及び前記側部とともに前記構成部品を覆う蓋部を設けるハウジングと、前記基板の長手方向の縁部に当接し、前記基板の長手方向及び厚み方向の移動を規制する規制手段とを備えることを特徴とする。
【０００９】
この構成では、規制手段を基板の長手方向の縁部に当接し、基板の長手方向及び厚み方向の移動を規制することができるので、基板の移動を規制しつつ、基板の短手方向の長さを短くして小型化を実現することができる。
【００１０】
請求項２に記載の発明は、請求項１に記載の発明において、前記規制手段が、前記底部に突設される基部と、前記基部から延設され、前記基板の長手方向の縁部を前記基板の厚み方向で挟持する一対の挟持部とを備えることを特徴とする。この構成では、規制手段として部品を追加する必要がないので、コストを低減させることができる。
【００１１】
請求項３に記載の発明は、請求項１又は２に記載の発明において、前記基板の厚み方向において、前記基板と前記底部との間に、前記基板に当接する突起部を設ける支持板を備えることを特徴とする。この構成では、基板をハウジングに容易に取り付けることができ、組立作業を効率的に行うことができる。
【００１２】
請求項４に記載の発明は、請求項１〜３のいずれかに記載の点灯装置と、前記点灯装置により点灯制御される照明負荷と、前記点灯装置及び前記照明負荷を設置する器具本体とを備えることを特徴とする。
【００１３】
この構成では、規制手段を基板の長手方向の縁部に当接し、基板の長手方向及び厚み方向の移動を規制することができるので、基板の移動を規制しつつ、基板の短手方向の長さを短くして小型化を実現することができる。
【００１４】
請求項５に記載の発明は、請求項４に記載の発明において、前記照明負荷が、管径１６ｍｍ以下に形成される蛍光灯であることを特徴とする。この構成では、薄型等のデザインを重視する照明器具であっても、構造設計の自由度を確保することができる。
【発明の効果】
【００１５】
本発明によれば、基板の移動を規制しつつ、基板の短手方向の長さを短くして小型化を実現することができる。
【発明を実施するための最良の形態】
【００１６】
（実施形態１）
先ず、実施形態１の基本的な構成について図１〜６を用いて説明する。実施形態１の照明器具は、図２に示すように、器具本体１と、複数（実施形態１では２本）の照明負荷２，２とを備えているとともに、図３（ａ）に示すように、点灯装置３を備えている。
【００１７】
器具本体１は、図２に示すように、例えば、鋼板等により長方形状に形成され天井面、壁面等と対向する底部１０（図３（ａ）参照）と、例えば、高反射白色紛体が塗装されている鋼板等であり、底部１０に取り付けられている反射板１１とを備えている。反射板１１は、４つの側部１１ａ，１１ａ，１１ａ，１１ａを周囲に設けるとともに、断面三角形状を有している突部１２を長手方向に沿って設けている。器具本体１は、照明負荷２，２を長手方向に沿って並列して設置し、点灯装置３（図３（ａ）参照）を、点灯装置３の長手方向が器具本体１の長手方向に沿うように、突部１２の内部に設置している。
【００１８】
各照明負荷２は、管径１６ｍｍ以下に形成され、点灯装置３（図３（ａ）参照）により点灯制御される直管型蛍光灯であり、高効率でありながら照明器具の薄型化を実現させるものである。図４に、管径２５ｍｍの蛍光灯（図４では「Ｈｆ３２Ｗ」）、及び管径１６ｍｍの蛍光灯（図４では「Ｔ５ＨＥ２８Ｗ」）の特性を表している。管径１６ｍｍの蛍光灯は、ランプ電圧が約１６７Ｖであり、管径２５ｍｍの蛍光灯に比べて３０％以上高い。一方、管径１６ｍｍの蛍光灯は、ランプ電流が１７０ｍＡであり、管径２５ｍｍの蛍光灯に比べて３０％以上小さい。上記より、管径１６ｍｍの蛍光灯は、管径２５ｍｍの蛍光灯に比べて輝度の高いものであるといえる。
【００１９】
点灯装置３は、図１に示すように、長方形状に形成されているものであり、基板４と、ハウジング５と、絶縁板６とを備え、上記照明負荷２，２（図２参照）を制御する。
【００２０】
基板４は、長方形状に形成されているものであり、電源（図示せず）と電気的に接続している。なお、上記電源は、例えば交流電力を供給する商用電源等である。上記基板４は、各照明負荷２（図２参照）に高周波電力を供給する回路を構成している複数の構成部品４０・・・が中央部に実装されている。上記回路は、例えば、電源の交流電力を直流電力に変換する電源回路、上記直流電力を高周波電力に変換するインバータ回路等であるが、特に限定されるものではない。上記回路の一部を図６に示す。実施形態１の照明器具は、照明負荷２，２を並列接続する方式であり、照明負荷２，２との配線の一部を共通化している。このため、後述する出力端子４１０は７つになる。これにより、２つの照明負荷２，２間の輝度のバラツキを抑制することができる。
【００２１】
また、基板４は、図１に示すように、長手方向の一端側（図１の左下側）に、各照明負荷２（図２参照）からの電線が挿入する複数（実施形態１では７つ）の出力端子孔４１ａ・・・を短手方向に一列に並んで配列している出力端子台４１が実装されている。基板４の短手方向の長さは、出力端子台４１の長さと略同じである。これにより、点灯装置３の短手方向の長さを短くすることができる。出力端子台４１は、各出力端子孔４１ａから挿入された電線と電気的に接続する出力端子４１０（図６参照）を内部に設けている。各出力端子４１０は、各照明負荷２と電気的に接続する負荷端子である。各出力端子孔４１ａは、斜め上方向に向けて設けられている。これにより、電線を挿入しやすくなる。
【００２２】
一方、基板４は、長手方向の他端側（図１の右上側）に、電源（図示せず）からの電線が挿入する一対の入力端子孔４２ａ，４２ａ（図５（ａ）参照）を短手方向に並んで配列している入力端子台４２が実装されている。入力端子台４２は、各入力端子孔４２ａから挿入された電線と電気的に接続する入力端子（図示せず）を内部に設けている。各入力端子は、電源と電気的に接続する電源端子である。各入力端子孔４２ａは、斜め上方向に向けて設けられている。これにより、電線を挿入しやすくなる。
【００２３】
各出力端子４１０（図６参照）及び入力端子（図示せず）は、電線と接続する端子板（図示せず）と、端子板との間に電線を保持する鎖錠ばね（図示せず）と、端子板から延設され基板４の裏面に設けられた導電パターン（図示せず）に半田付けされている接続片（図示せず）とで構成されている。
【００２４】
ハウジング５は、例えば金属製を有し、本体部５ａと、蓋部５ｂとから構成され、基板４及び絶縁板６を収納する。本体部５ａは、板金を加工することにより、長方形状に形成され基板４の厚み方向において絶縁板６を介して基板４に対向する底部５０と、底部５０の短手方向の両縁側から基板４の短手方向の両縁側に沿って延設されている一対の側部５１，５２とを一体に備えている。
【００２５】
本体部５ａは、底部５０の長手方向の一端部５０ａにおいて、短手方向の中央から縁側に向かって略垂直に切り起こし、コ字状に形成されている一対の支持部５３，５３を設けている。各支持部５３は、底部５０に突設される基部５３ａと、基部５３ａの縁側から延設され、基板４の長手方向の縁部４ａを基板４の厚み方向で挟持する一対の挟持部５３ｂ，５３ｃ（図５（ｂ）参照）とを一体に備えている。各支持部５３は、基板４の長手方向の縁部４ａに当接することにより、基板４の長手方向及び厚み方向の移動を規制している。さらに、各支持部５３は、基板４の厚み方向において、出力端子台４１の各出力端子孔４１ａの高さより低く設定されている。これにより、支持部５３が邪魔することなく、電線（図示せず）を各出力端子孔４１ａに挿入することができる。挟持部５３ｂは、点灯装置３を器具本体１（図２参照）に設置したときに基板４の重力が加わるので、基板４の厚み方向に対して、予め決められた値以上の長さに設定している。これにより、挟持部５３ｂが基板４を支えることができなくなるという問題が発生しない。
【００２６】
一方、本体部５ａは、底部５０の長手方向の他端部５０ｂにおいて、短手方向の中央から縁側に向かって略垂直に切り起こし、Ｌ字状に形成され、基板４の長手方向の縁部４ｂを支持する規制部５４を備えている。また、取付穴５５ａを有する固定部５５を内側に突設させて備えている。さらに、側部５１の端部５１ａから内側に切り起こし、基板４の短手方向の縁部４ｃを抑える支持部５６を備えている。
【００２７】
上記本体部５ａの構造より、基板４と底部５０との間を予め決められた距離に保つことができるとともに、基板４が厚み方向及び長手方向に移動することを規制することができる。
【００２８】
蓋部５ｂは、板金を加工することにより、長方形状に形成され基板４の厚み方向において上記基板４に対向する底部５７と、底部５７の短手方向の両縁側から基板４の短手方向の両縁側に沿って延設されている一対の側部５８と、底部５７の長手方向の両縁側から延設されている一対の側部５９，５９とを一体に備え、本体部５ａとともに構成部品４０を覆うものである。
【００２９】
絶縁板６は、長方形状に形成され本体部５ａの底部５０に沿って配設されている底部６０と、本体部５ａの側部５１，５２に沿って配設されている一対の側部６１，６２と、側部６２の短手方向の縁側から延設されている蓋部６３とを一体に備えている。上記絶縁板６は、基板４とハウジング５との間に介在して、基板４とハウジング５とを電気的に絶縁している。
【００３０】
次に、点灯装置３の組立手順について説明する。先ず、図１に示すように、本体部５ａの底部５０において、２つの支持部５３，５３を一端部５０ａにおいて、短手方向の中央から縁側に向かって切り起こして突設させる。また、規制部５４を他端部５０ｂにおいて、短手方向の中央から縁側に向かって切り起こして突設させる。続いて、絶縁板６を、支持部５３，５３と規制部５４との間に位置するように、本体部５ａ内に載置する。次に、底部５０の長手方向の他端部５０ｂ側から基板４をスライドさせ、基板４の長手方向の縁部４ａを、各挟持部５３ｂ，５３ｃに挟持されるように各支持部５３に嵌め込む。また、基板４の長手方向の縁部４ｂを規制部５４に当接するように設置する。その後、本体部５ａの側部５１において、支持部５６を端部５１ａから内側に切り起こして突設させる。また、固定部５５の取付穴５５ａにおいて、取付ねじ５５０（図５（ａ）参照）により本体部５ａと基板４とをねじ止め固定する。基板４を本体５ａに固定した後、絶縁板６の側部６２と蓋部６３との境界を折り曲げて構成部品４０を覆う。その上から、蓋部５ｂを取り付ける。
【００３１】
上記より、基板４の長手方向の移動は、出力端子台４１側では各支持部５３の基部５３ａで規制され、入力端子台４２側では規制部５４の側部５４ａ及び固定部５５で規制される。一方、基板４の厚み方向の移動は、出力端子台４１側では各支持部５３の挟持部５３ｂ，５３ｃで規制され、入力端子台４２側では規制部５４の下部５４ｂ、固定部５５、及び支持部５６で規制される。
【００３２】
以上、実施形態１によれば、各支持部５３を基板４の長手方向の縁部４ａに当接し、基板４の長手方向及び厚み方向の移動を規制することができるので、基板４の移動を規制しつつ、基板４の短手方向の長さを短くして小型化を実現することができる。また、各支持部５３として部品を追加する必要がないので、コストを低減させることができる。さらに、薄型等のデザインを重視する照明器具であっても、構造設計の自由度を確保することができる。
【００３３】
なお、実施形態１の変形例として、各照明負荷２として、図３（ｂ）に示すように、例えば管径２５ｍｍ等、管径１６ｍｍより大きな直管型蛍光灯を用いてもよい。このような構成にしても、実施形態１と同様に、基板の移動を規制しつつ、基板の短手方向の長さを短くして小型化を実現することができるとともに、コストを低減させることができる。
【００３４】
また、実施形態１の他の変形例として、基板は、プリント基板に限定されず、各構成部品間を電線で接続するようなものであってもよい。このような構成にしても、実施形態１と同様の効果を得ることができる。
【００３５】
（実施形態２）
実施形態２の照明器具は、実施形態１の照明器具と同様に、器具本体１（図２参照）と、照明負荷２，２（図２参照）と、点灯装置３（図３（ａ）参照）とを備えているが、実施形態１の照明器具にはない以下に記載の特徴部分がある。
【００３６】
実施形態２の絶縁板６は、図７（ａ）に示すように、基板４に当接する複数の突起部６４，６４，６４を底部６０に設けている。各突起部６４は、例えばエンボス加工により、基板４の厚み方向において、上記基板４と本体部５ａの底部５０との間の出力端子台４１及び入力端子台４２の近傍に突設されるものである。なお、実施形態２の絶縁板６は、上記以外の点において、実施形態１の絶縁板６（図１参照）と同様である。
【００３７】
上記より、基板４が撓み、本体５ａの底部５０側に沈み込むことを防止することができる。また、基板４を本体部５ａに取り付けるときに、基板４の長手方向の縁部４ａを、挟持部５３ｃに引っ掛けることなく支持部５３に嵌合させることができる。
【００３８】
以上、実施形態２によれば、実施形態１と同様の効果を得ることができるとともに、基板４を本体部５ａに容易に取り付けることができ、組立作業を効率的に行うことができる。
【００３９】
（実施形態３）
実施形態３の照明器具は、実施形態１の照明器具と同様に、器具本体１（図２参照）と、照明負荷２，２（図２参照）と、点灯装置３（図３（ａ）参照）とを備えているが、実施形態１の照明器具にはない以下に記載の特徴部分がある。
【００４０】
実施形態３のハウジング５は、図８に示すように、本体部５ａにおいて、底部５０の長手方向の一端部５０ａにおいて、長手方向の縁側から中央に向かって略垂直に切り起こして形成されている支持部７を設けている。なお、図８は、ハウジング５において、本体部５ａの一部（一端部５０ａ近傍）の斜視図である。支持部７は、底部５０に突設され基板４（図１参照）の厚み方向の両端が折り曲げられている基部７ａと、基部７ａの両縁側から延設され、基板４の長手方向の縁部４ａ（図１参照）を基板４の厚み方向で挟持する二対の挟持部７ｂ，７ｃとを一体に備えている。
【００４１】
上記より、基板４の長手方向の出力端子台４１（図１参照）側において、基板４の長手方向の移動は支持部７の基部７ａで規制され、基板４の厚み方向の移動は支持部７の挟持部７ｂ，７ｃで規制される。なお、入力端子台４２側における基板４の移動の規制は実施形態１と同様である。
【００４２】
以上、実施形態３によれば、実施形態１と同様の効果を得ることができるとともに、ハウジング５において、本体部５ａの底部５０から切り起こす個所を少なくすることができる。
【図面の簡単な説明】
【００４３】
【図１】本発明による実施形態１の点灯装置の分解斜視図である。
【図２】同上の照明器具の斜視図である。
【図３】同上の照明器具であって、（ａ）は管径１６ｍｍの直管型蛍光灯を備える場合の断面図、（ｂ）は管径２５ｍｍの直管型蛍光灯を備える場合の断面図である。
【図４】同上の照明器具において、直管型蛍光灯の特性を表す図である。
【図５】同上の点灯装置の基板、本体部及び絶縁板であって、（ａ）は上面図、（ｂ）は側面図である。
【図６】同上の照明器具の回路図である。
【図７】本発明による実施形態２の点灯装置の基板、本体部及び絶縁板であって、（ａ）は基板を本体部に取り付けた後の側面図、（ｂ）は基板を本体部に取り付ける前の側面図である。
【図８】本発明による実施形態３の点灯装置において、本体部の一部の斜視図である。
【図９】従来の点灯装置において、基板及び本体部の一部の上面図である。
【符号の説明】
【００４４】
３  点灯装置
４  基板
４ａ  縁部
５ａ  本体部
５ｂ  蓋部
５０  底部
５０ａ  一端部
５３  支持部
５３ａ  基部
５３ｂ，５３ｃ  挟持部
６  絶縁板
【図１】
2006179307.tif 000003
【図２】
2006179307.tif 000004
【図３】
2006179307.tif 000005
【図４】
2006179307.tif 000006
【図５】
2006179307.tif 000007
【図６】
2006179307.tif 000008
【図７】
2006179307.tif 000009
【図８】
2006179307.tif 000010
【図９】
2006179307.tif 000011